(57)【要約】【課題】簡単な構造で、表示機能が高く、組立性や取扱性が良い表示機能付きクリップを提供する。【解決手段】表示部１６が設けられた平面状のシート台紙１４と、シート台紙１４が二つ折りされた内側に配置されたクリップ体１２とを備える。シート台紙１４は、表示部１６が外側に位置するように二つ折りされ、中心線１４ａから所定の位置でさらに二つ折り状態で折り返されている。折り返されたシート台紙１４の内側に位置し谷折りされたシート台紙１４の一部分が、クリップ体１２により挟持されている。クリップ体１２及び谷折りされたシート台紙１４を覆うように、二つ折りされたシート台紙１４の他の部分が折り曲げられて、シート台紙１４の互いに対面した端縁部の内側が糊付けされている。【選択図】図２
2013067153.tif 000002
【特許請求の範囲】
【請求項１】
表示部が設けられた平面状のシート台紙と、このシート台紙が二つ折りされた内側に配置されたクリップ体とを備え、前記シート台紙は、前記表示部が外側に位置するように二つ折りされ、前記二つ折りの中心線から所定の位置で、二つ折り状態でさらに折り返され、この折り返された前記シート台紙の内側に位置し谷折りされた前記シート台紙の一部分が、前記クリップ体により挟持され、前記クリップ体及び前記谷折りされた前記シート台紙を覆うように、前記二つ折りされたシート台紙の他の部分が折り曲げられていることを特徴とする表示機能付きクリップ。
【請求項２】
二つ折りした前記シート台紙の互いに対面する端縁部は等しい大きさに形成され、前記シート台紙の互いに対面した端縁部の内側が糊付けされている請求項１記載の表示機能付きクリップ。
【請求項３】
前記クリップ体は、金属線が平面的に巻回されたものである請求項１又は２記載の表示機能付きクリップ。
【請求項４】
前記クリップ体は、平面的に形成された樹脂製の挟持部を有するものである請求項１又は２記載の表示機能付きクリップ。
【請求項５】
前記クリップ体は、平面的に形成された厚紙製の挟持部を有するものである請求項１又は２記載の表示機能付きクリップ。
【請求項６】
表示部が設けられた平面状のシート台紙を前記表示部が外側に位置するように中心線で二つ折りにし、二つ折りした前記シート台紙の一方を、前記二つ折りの内側が凸になるように折り曲げて、この折り曲げた部分をクリップ体で挟持し、この後二つ折りした前記シート体の他の部分を、前記クリップ体を覆うように折り曲げることを特徴とする表示機能付きクリップの製造方法。
【請求項７】
二つ折りした前記シート台紙の内側を、前記クリップ体で挟持し、この後互いに対面する端縁部を互いに糊付けする請求項６記載の表示機能付きクリップの製造方法。
【発明の詳細な説明】
【技術分野】
【０００１】
この発明は、書類などを挟み止めて保持するクリップであって、広告や取扱等の表示が可能な表示機能付きクリップとその製造方法に関する。
【背景技術】
【０００２】
従来、特許文献１〜３に開示されているように、金属製のクリップ体に矩形の紙などをカバーにして貼り付けて形成したクリップが提案されている。例えば、特許文献１に開示されたゼムクリップカバーは、ゼムクリップへの挟み止め片部と、この挟み止め片部の一方側縁に折曲自在線部を介して連設したゼムクリップの隠し覆い片部と、この隠し覆い片部の上辺縁に連設した名札用片部とから成る主体を、紙に打ち抜き加工を施すことによって構成したものである。隠し覆い片部の外側面には、絵模様が印刷されている。
【０００３】
特許文献２には、ゼムクリップをシートの内側に取り付けたカードホルダが開示されている。また、特許文献３には、ゼムクリップを紙で被覆して、錆等が付かないようにした紙巻きクリップが開示されている。
【先行技術文献】
【特許文献】
【０００４】
【特許文献１】実用新案登録第３０６００７２号公報
【特許文献２】特開２００６−２８１７５２号公報
【特許文献３】実開昭５８−１５７６７３号公報
【発明の概要】
【発明が解決しようとする課題】
【０００５】
上記背景技術の場合、単にゼムクリップを紙製のカバーで覆う機能を有したもので、広告や説明機能が十分ではなく、組立性やクリップの取扱性も良いものではなかった。
【０００６】
この発明は、上記背景技術の問題点に鑑みてなされたものであり、簡単な構造で、表示機能が高く、組立性や取扱性が良い表示機能付きクリップとその製造方法を提供することを目的とする。
【課題を解決するための手段】
【０００７】
この発明は、表示部が設けられた平面状のシート台紙と、このシート台紙が二つ折りされた内側に配置されたクリップ体とを備え、前記シート台紙は、前記表示部が外側に位置するように二つ折りされ、前記二つ折りの中心線から所定の位置で、二つ折り状態でさらに折り返され、この折り返された前記シート台紙の内側に位置し谷折りされた前記シート台紙の一部分が、前記クリップ体により挟持され、前記クリップ体及び前記谷折りされた前記シート台紙を覆うように、前記二つ折りされたシート台紙の他の部分が折り曲げられている表示機能付きクリップである。
【０００８】
二つ折りした前記シート台紙の互いに対面する端縁部は等しい大きさに形成され、前記シート台紙の互いに対面した端縁部の内側が糊付けされている。
【０００９】
前記クリップ体は、金属線が平面的に巻回されたものである。又は、平面的に形成された樹脂製の挟持部を有するものや、厚紙製の挟持部を有するものでもよい。
【００１０】
またこの発明は、表示部が設けられた平面状のシート台紙を前記表示部が外側に位置するように中心線で二つ折りにし、二つ折りした前記シート台紙の一方を、前記二つ折りの内側が凸になるように折り曲げて、この折り曲げた部分をクリップ体で挟持し、この後二つ折りした前記シート体の他の部分を、前記クリップ体を覆うように折り曲げる表示機能付きクリップの製造方法である。さらに、二つ折りした前記シート台紙の内側を、前記クリップ体で挟持し、この後互いに対面する端縁部を互いに糊付けするものである。
【発明の効果】
【００１１】
この発明の表示機能付きクリップは、簡単な構造で、表裏の面を有効に使用することができ、表示機能が高く、しかもシート等を保持させる際の取り扱いが容易で、簡単にシート等を挟み込むことができる。さらに、表示部が見やすいところに位置し、広告機能が高く、必要な電話番号やアドレス等を容易に認識することが出来る。
【００１２】
製造においては、工数が少なく組み立てが容易であり、コストもかからず安価に提供することができる。
【図面の簡単な説明】
【００１３】
【図１】この発明の第一実施形態の表示機能付きクリップのシート台紙の展開図である。
【図２】この発明の第一実施形態の表示機能付きクリップの製造工程を示す斜視図である。
【図３】この発明の第一実施形態の表示機能付きクリップの上部表示部を表側にした使用状態を示す斜視図（ａ）、裏面表示部を表側にした使用状態を示す斜視図（ｂ）である。
【図４】この発明の第二実施形態の表示機能付きクリップのシート台紙の展開図である。
【図５】この発明の第二実施形態の表示機能付きクリップの製造工程を示す斜視図である。
【図６】この発明の第二実施形態の表示機能付きクリップの上部表示部を表側にした使用状態を示す斜視図（ａ）、裏面表示部を表側にした使用状態を示す斜視図（ｂ）である。
【発明を実施するための形態】
【００１４】
以下、この発明の実施形態について図面に基づいて説明する。図１〜図３はこの発明の第一実施形態を示すもので、この実施形態の表示機能付きクリップ１０は、金属製のゼムクリップ等のクリップ体１２と、紙や樹脂シートその他合成紙等のシート台紙１４を用いるものである。シート台紙１４は長方形等の四角形のものであり、表側に表示部１６を有している。シート台紙１４は表示部１６が外側に位置するように二つ折りされ、その一方の辺である例えば短辺と平行な中心線１４ａで山折りされている。ここで、表示部１６側を凸にした折り方を山折り、逆を谷折りと称す。さらに、中心線１４ａで二つ折りされた状態で、中心線１４ａと平行な線であって中心線１４ａと短辺との中間よりも中心線１４ａ寄りの折り罫線１４ｂ，１４ｃで、シート台紙１４が二つ折り状態で一方に折り返されている。従って、折り罫線１４ｂは山折りされ、折り罫線１４ｃは谷折りされている。
【００１５】
二つ折り状態のシート台紙１４内には、例えば２つのクリップ体１２が取り付けられている。クリップ体１２は、谷折りされた折り罫線１４ｃのシート台紙１４を挟むように取り付けられている。シート台紙１４の端縁部及び内側は糊付けされて、開かないように形成されている。
【００１６】
この実施形態の表示機能付きクリップ１０の組み立て方法は、まず、シート台紙１４の中心線１４ａを谷折りし、折り罫線１４ｂ，１４ｃで折り返して、二つ折り状態にする。この後、外側に位置した山折りの折り罫線１４ｂでシート台紙１４の半分を開き、折り罫線１４ｃを露出させる。この状態で、折り罫線１４ｃ側から２つのクリップ体１２により、シート台紙１４を挟持させる。この後、開いていた半分のシート台紙１４を閉じて、折り罫線１４ｂを山折りに戻して、シート台紙１４の開放端縁部の内側同士を糊付けして、表示機能付きクリップ１０とする。
【００１７】
この実施形態の表示機能付きクリップ１０は、図２に示すように、二つ折り状態の幅の狭い上部表示部１６ａとその下方に表れる下部表示部１６ｂ、及び裏面側の幅の広い裏面表示部１６ｃとを備える。
【００１８】
この実施形態の表示機能付きクリップ１０の使用方法は、図３（ａ）に示すように、上部表示部１６ａを表側にして、書類等の被保持物１８を下部表示部１６ｂ側から差し込むように入れる。これにより、被保持物１８の差し込みが容易であり、下部表示部１４ｂは隠れるが、上部表示部１６ａが目立つようになる。また、図３（ｂ）に示すように、裏面表示部１６ｃを表側にすれば、より大面積の表示が可能となる。
【００１９】
この実施形態の表示機能付きクリップ１０によれば、簡単な構造で、表示面積が大きく、広告機能の高い表示機能付きクリップ１０を提供することができる。しかも、書類等の被保持物１８を挟む場合の操作性もよく、安定に保持することができる。表示部１６は、目に付きやすいところに位置し、広告機能が高く、使用者は必要な電話番号やアドレス等を容易に認識することが出来る。
【００２０】
次に、この発明の表示機能付きクリップの第二実施形態について、図４〜図６に基づいて説明する。ここで、上記実施形態と同様の部材は同様の符号を付して説明を省略する。この実施形態の表示機能付きクリップ２０は、外観形状が三角形のもので、シート台紙２４は、図４、図５に示すように、各折り罫線２４ａ，２４ｂ，２４ｃで折り曲げた状態で、三角形になるように形成されている。
【００２１】
この実施形態の表示機能付きクリップ２０の組み立て方法は、まず、シート台紙２４の中心線２４ａを谷折りし、折り罫線２４ｂ，２４ｃで折り返して、二つ折り状態にする。この後、外側に位置した山折りの折り罫線２４ｂでシート台紙２４の半分を開き、折り罫線２４ｃを露出させる。この状態で、折り罫線２４ｃ側から２つのクリップ体１２により、シート台紙２４を挟持させる。この後、開いていた半分のシート台紙２４を閉じて、折り罫線２４ｂを山折りに戻して、シート台紙２４の開放端縁部の内側同士を糊付けして、表示機能付きクリップ２０とする。
【００２２】
この実施形態の表示機能付きクリップ２０は、図５に示すように、二つ折り状態の幅の狭い上部表示部２６ａとその下方に表れる下部表示部２６ｂ、及び裏面側の幅の広い裏面表示部２６ｃとを備える。
【００２３】
この実施形態の表示機能付きクリップ２０の使用方法は、図６（ａ）に示すように、上部表示部１６ａを表側にして、書類等の被保持物１８を下部表示部２６ｂ側から差し込むように入れる。これにより、被保持物１８の差し込みが容易であり、下部表示部２４ｂは隠れるが、上部表示部２６ａが目立つようになる。また、図６（ｂ）に示すように、裏面表示部１６ｃを表側にすれば、より大面積の表示が可能となる。
【００２４】
この実施形態の表示機能付きクリップ２０によっても、上記実施形態と同様の効果を得ることができる。さらに、形状を三角形とすることにより、外観形状的にも目立つものとなり、より広告機能を発揮する。
【００２５】
なお、本発明の表示機能付きクリップは上記各実施の形態に限定されるものではなく、中に入れるクリップ体は、ゼムクリップ等の金属製のものに限らず、樹脂製のクリップ体でも良く、厚紙製のクリップ体でも良い。厚紙製のクリップ体と紙製のシート台紙にすることにより、表示機能付きクリップ全体を紙製とすることが出来、廃棄や焼却が容易となり、環境負荷が小さいものとなる。その他、クリップ体の材料は、適宜のものを使用することができる。シート台紙の形状も、四角形や三角形に限らず、円形や適宜の形状を選択することができ、材料も樹脂等を用いることも出来る。表示部は、平面以外に立体的な飾りや広告等の標示物を配置してもよく、適宜の表示が可能である。
【符号の説明】
【００２６】
１０，２０  表示機能付きクリップ
１２  クリップ体
１４  シート台紙
１４ａ，２４ａ  中心線
１４ｂ，１４ｃ，２４ｂ，２４ｃ  折り罫線
１６  表示部
１８  被保持物
【図１】
2013067153.tif 000003
【図２】
2013067153.tif 000004
【図３】
2013067153.tif 000005
【図４】
2013067153.tif 000006
【図５】
2013067153.tif 000007
【図６】
2013067153.tif 000008